Podtech/llm-jp-corpus-v4-ja_patent huggingface dataset:
【手続補正書】
【提出日】平成20年2月1日(2008.2.1)
【手続補正１】
【補正対象書類名】特許請求の範囲
【補正対象項目名】全文
【補正方法】変更
【補正の内容】
【特許請求の範囲】
【請求項１】
（ｉ）フルオロケミカル化合物、および（ｉｉ）α−ヒドロキシ酸のエステル誘導体を含み、前記エステル誘導体が３５℃以下の融点、そして２５℃において１０重量％以下の水溶解度を有する、水性組成物。
【請求項２】
前記エステル誘導体が、以下の少なくともいずれか：ａ）１気圧において少なくとも１５０℃の沸点を有する、又は、ｂ）前記エステル誘導体が脂肪族エステルである、請求項１に記載の水性組成物。
【請求項３】
前記α−ヒドロキシ酸のα−ヒドロキシ基がエステル化されている、請求項１に記載の水性組成物。
【請求項４】
前記エステル誘導体が、次式：
【化１】
2007532700.tif 000001
［式中、Ｒ1、Ｒ2およびＲ3のそれぞれは独立して、Ｈ、ＯＨ、炭化水素基またはＣＯＯＲ5（ここでＲ5は炭化水素基を表す）を表し；Ｒ4は、Ｈ、炭化水素基または−ＣＨ2−ＣＯＯＲ6（ここでＲ6は炭化水素基を表す）；Ｒは炭化水素基を表し；そしてＲ7はＨまたはアシル基を表す］に相当する、請求項１に記載の水性組成物。
【請求項５】
前記フルオロケミカル化合物が、フッ素化アクリレートまたはメタクリレートモノマーを重合させて得られるポリマー、イソシアネート化合物と１個または複数のイソシアネート反応性基を有するフッ素化化合物との縮合により得られる化合物、およびフッ素化イソシアネート化合物と１種または複数のイソシアネート反応性化合物との縮合により得られる化合物、からなる群より選択される、請求項１に記載の水性組成物。
【請求項６】
前記フルオロケミカル化合物が、（ｉ）次式で表されるフッ素化モノマー：
Ｒf−Ｘ−Ｅ
［式中、Ｒfは過フッ素化脂肪族基を表し、Ｘは有機結合基を表し、そしてＥはエチレン性不飽和基を表す］と（ｉｉ）非フッ素化化合物とを重合させることにより得られるポリマーを含む、請求項１に記載の水性組成物。
【請求項７】
請求項１の水性組成物に基材を接触させることを含む、処理方法。
【請求項８】
前記方法に、前記処理した基材を４０℃以下の温度で乾燥させることをさらに含む、請求項７に記載の方法。
【請求項９】
請求項１の水性組成物を含むスプレー缶。
【手続補正書】
【提出日】平成20年4月4日(2008.4.4)
【手続補正１】
【補正対象書類名】特許請求の範囲
【補正対象項目名】全文
【補正方法】変更
【補正の内容】
【特許請求の範囲】
【請求項１】
次の構造式Ｉ：
【化１】
2007532636.tif 000001
〔式中、
Ｒ1及びＲ2は、Ｃ1-6アルキル又はＣ1-6アルケニルから独立に選択され、又は、それらが結合しているＮと共に、６、７若しくは８個の原子を含む複素環、又は、その様な複素環であって、水素；ハロゲン；Ｃ1-4アルキル；Ｃ1-4アルコキシ；又は１、２若しくは３個のハロゲンで置換されたＣ1-4アルキル；アミノ；又はＣ1-4アルキル、Ｃ1-4アルコキシ又は０、１、２若しくは３個のハロゲンで置換されたＣ1-4アルキルで置換されたアミノから独立に選択される基で置換された複素環を形成し；
Ｒ4は、水素であり；
ｎは、０、１又は２であり；
Ａｒ1は、フェニル、又は、水素、ハロゲン、−Ｓ−Ｃ1-4アルキル、Ｃ1-4アルキル、Ｃ1-4アルコキシ、又は１、２若しくは３個のハロゲンで置換されたＣ1-4アルキルから独立に選択される基で置換されたフェニルであり；そして、
Ａｒ2は、フェニル、ナフチル、テトラリン、又は、水素、ハロゲン、シアノ、ニトロ、Ｃ1-4アルキル、Ｃ1-4アルコキシ、又は１、２若しくは３個のハロゲンで置換されたＣ1-4アルキルから独立に選択される基で置換された、フェニル、ナフチル又はテトラリンである〕
で表わされる化合物、生体内で加水分解可能なその前駆体、及び薬学的に許容されるその塩。
【請求項２】
生理学的に許容されるアニオンを提供する無機又は有機酸を用いて作られる、請求項１に記載の化合物の薬学的に許容される塩。
【請求項３】
無機酸又有機酸が塩酸、臭化水素酸、硫酸、リン酸、メタンスルホン酸、スルファミン酸、パラトルエンスルホン酸、酢酸、クエン酸、乳酸、酒石酸、マロン酸、フマル酸、エタンスルホン酸、ベンゼンスルホン酸、シクロヘキシルスルファミン酸、サリチル酸及びキナ酸から選択される酸である、請求項２に記載の薬学的に許容される塩。
【請求項４】
請求項１に記載の化合物、生体内で加水分解可能なその前駆体又は薬学的に許容されるその塩、及び薬学的に許容される担体を含む、医薬組成物。
【請求項５】
請求項１に記載の化合物、生体内で加水分解可能なその前駆体又は薬学的に許容されるその塩を含む、ＳＲＩ活性と組み合わせたＮＫ1受容体の拮抗作用が有益である病状の治療用医薬。
【請求項６】
請求項１に記載の化合物、生体内で加水分解可能なその前駆体又は薬学的に許容されるその塩を含む、ＮＫ1受容体の拮抗作用が有益である病状の治療用医薬。
【請求項７】
請求項１に記載の化合物、生体内で加水分解可能なその前駆体又は薬学的に許容されるその塩を含む、ＳＲＩ活性が有益である病状の治療用医薬。
【請求項８】
ＮＫ1受容体の拮抗作用又はＳＲＩ活性が有益である病状に使用する医薬品の製造にお
ける、請求項１に記載の化合物、生体内で加水分解可能なその前駆体又は薬学的に許容されるその塩の使用。
【請求項９】
ＮＫ1受容体の拮抗作用及びＳＲＩ活性が有益である病状に使用する医薬品の製造にお
ける、請求項１に記載の化合物、生体内で加水分解可能なその前駆体又は薬学的に許容されるその塩の使用。
【請求項１０】
高血圧、癌患者のうつ病、パーキンソン病患者のうつ病、心筋梗塞後うつ病、亜症候群症状性うつ病、不妊女性のうつ病、小児性うつ病、大うつ病、単一エピソードうつ病、反復性うつ病、幼児虐待誘導性うつ病、産後うつ病、全般性不安障害、広所恐怖症、対人恐怖症、単純恐怖症、外傷後ストレス症候群、回避的人格障害、早漏症、拒食症、多食症、肥満症、アルコールへの、コカインへの、ヘロインへの、フェノバルビタールへの、ニコチンへの又はベンゾジアゼピンへの依存症；群発性頭痛、片頭痛、疼痛、アルツハイマー病、強迫神経症、パニック障害、認知症、健忘症、加齢関連の認知力減退、パーキンソン病性認知症、神経抑制剤誘発パーキンソニズム、遅発性ジスキネジー、高プロラクチン血症、血管痙攣、脳血管系血管痙攣、小脳性運動失調症、胃腸管障害、統合失調症の陰性症状、月経前症候群、線維筋肉痛症候群、緊張性尿失禁、トゥーレット症候群、抜毛癖、窃盗癖、男性勃起不全、注意欠陥障害、慢性発作性片頭痛及び血管障害に伴う頭痛から選択され、そしてＮＫ1受容体の拮抗作用及びＳＲＩ活性が有益である哺乳類の疾患又は状態を治療するための医薬。
【手続補正２】
【補正対象書類名】明細書
【補正対象項目名】００２８
【補正方法】変更
【補正の内容】
【００２８】
化合物及びアゴニストの調製：
化合物を１０ｍＭの濃度になるようにＤＭＳＯに溶解し、その溶液（１２０μＬ）を、
丸底９６ウェルのポリプロピレン製保存プレート（Costar 3365）の各横列の最初のウェ
ル（縦第１列）に入れた。次にその様な２枚のプレート上の化合物を、Biomek 2000を用
いて、ＤＭＳＯで連続的に同時に希釈した。各希釈液（４μＬ）を、あらかじめ用意した、各ウェルに新しく調製した作業用緩衝液（４００μＬ）が入った深底ウェルプレート（Beckman Coulter 267006）に移した。アッセイにおける最終の化合物濃度は、１０μＭと０.１ｎＭの間で、３.３倍（half-log）増加率の１１点にした。
【手続補正書】
【提出日】平成20年4月8日(2008.4.8)
【手続補正１】
【補正対象書類名】特許請求の範囲
【補正対象項目名】全文
【補正方法】変更
【補正の内容】
【特許請求の範囲】
【請求項１】
約3〜5%w/wのエキセンディン-4および約2% w/wのスクロースが内部に分散された生体適合性ポリマーを含む、ポリペプチドの持続放出のための組成物。
【請求項２】
生体適合性ポリマーがポリ（ラクチド）、ポリ（グリコリド）、ポリ（ラクチド−コ−グリコリド）、ポリ（乳酸）、ポリ（グリコール酸）、ポリ（乳酸−コ−グリコール酸）および混合物ならびにそのコポリマーから選択される、請求項１記載の組成物。
【請求項３】
生体適合性ポリマーが約1：1のラクチド：グリコリドの比率を有するポリ（ラクチド−コ−グリコリド）である、請求項１記載の組成物。
【請求項４】
エキセンディン-4が約5% w/wで存在し、生体適合性ポリマーが約1：1のラクチド：グリコリドの比率を有するポリ（ラクチド−コ−グリコリド）である、請求項１記載の組成物。
【請求項５】
生体適合性ポリマーが約1：1のラクチド：グリコリドの比率および約45〜約64ｋDの範囲の分子量を有するポリ（ラクチド−コ−グリコリド）である、請求項１記載の組成物。
【請求項６】
エキセンディン-4のインビトロ初期放出が約0.5%未満である、請求項１〜５いずれか記載の組成物。
【請求項７】
Caveに対するCmaxの比率が約３以下である、請求項１〜６いずれか記載の組成物。
【請求項８】
組成物の全細孔容積が、水銀圧入法を使用して測定する場合、約0.1mL/g以下である、請求項１〜７いずれか記載の組成物。
【請求項９】
50：50のDL PLG 4Aポリマー、5% w/wのエキセンディン-4および2% w/wのスクロースを含むポリペプチドの持続放出のための組成物であって、ここでCaveに対するCmaxの比率が約３以下であり、組成物の全細孔容積が約0.1mL/g以下である、組成物。
【請求項１０】
約5% w/w以上のエキセンディン-4および約2% w/w以上のスクロースを内部に分散された、精製された50：50のDL PLG 4Aポリマーを含む生物学的活性ポリペプチドの持続放出のための薬学的に許容され得る組成物であって、ここで前記組成物は硫酸アンモニウムが非存在で、約３以下のCaveに対するCmaxの比率を有し、組成物の全細孔容積が約0.1mL/g以下であり、真性糖尿病の治療についてヒトへの投与に適当である、組成物。
【請求項１１】
a)  水溶性エキセンディン-4ポリペプチドおよびスクロースを含む水相を、50：50のDL PLG 4Aポリマーを塩化メチレン中に含む油相と合わせることにより、混合物を形成する工程;
b)  工程a)の混合物の油中水型エマルジョンを形成する工程、ここで内部エマルジョンの小滴の大きさが約0.2〜0.4ミクロンである;
c)  コアセルベーション剤をエマルジョンに添加して初期（embryonic）微粒子を形成する工程、ここで、前記コアセルベーション剤は、約1:1〜約1.5:1のシリコーン油のポリマー溶媒に対する比を得るのに充分な量で添加されたシリコーン油であり、シリコーン油が約3分以下でエマルジョンに添加され、コアセルベーション剤及びエマルジョンの混合が約1分以下で行なわれる;
d)  初期微粒子をクエンチ溶媒に移して微粒子を硬化する工程、ここでクエンチ溶媒はヘプタン／エタノール混合物であり、移す時間が約3分以下である；
e)  硬化された微粒子を回収する工程；ならびに
f)  硬化された微粒子を乾燥する工程；
を含む、エキセンディン-4の持続放出のための組成物の調製方法。
【請求項１２】
a)  硫酸アンモニウムの非存在下で水溶性エキセンディン-4ポリペプチドおよびスクロースを含む水相を、精製された50：50のDL PLG 4Aポリマーを塩化メチレン中に含む油相と合わせることにより、混合物を形成する工程、ここで前記精製されたポリマーは約0.3〜0.5 dL/gの固有粘度を有する;
b)  工程a)の混合物の油中水型エマルジョンを形成する工程、ここで内部エマルジョンの小滴の大きさが約0.2〜0.4ミクロンである;
c)  コアセルベーション剤をエマルジョンに添加して初期（embryonic）微粒子を形成する工程、ここで、前記コアセルベーション剤は、約1:1〜約1.5:1のシリコーン油のポリマー溶媒に対する比を得るのに充分な量で添加されたシリコーン油であり、シリコーン油が約3分未満でエマルジョンに添加され、コアセルベーション剤およびエマルジョンの混合が約1分以下で行なわれる;
d)  16：1v/vのクエンチ溶媒に対する塩化メチレンの比で、初期微粒子をクエンチ溶媒に移して微粒子を硬化する工程、ここでクエンチ溶媒はヘプタン／エタノール混合物であり、移す時間が約3分未満である；
e)  硬化された微粒子を回収する工程；ならびに
f)  硬化された微粒子を乾燥する工程；
を含む、エキセンディン-4の持続放出のための薬学的に許容され得る組成物の調製方法であって、ここで前記組成物は約３以下のCaveに対するCmaxの比率を有し、組成物の全細孔容積が約0.1mL/g以下である、方法。
【請求項１３】
2型糖尿病を有する患者を処置するための医薬の製造における、約3〜5％w/wのエキセンディン-4および約2％w/wのスクロースが内部に分散された生体適合性ポリマーを含む持続放出性組成物の使用。
【請求項１４】
エキセンディン-4が約5% w/wで存在し、生体適合性ポリマーが約1：1のラクチド：グリコリドの比率を有するポリ（ラクチド−コ−グリコリド）である、請求項１３記載の使用。
【請求項１５】
生体適合性ポリマーが約1：1のラクチド：グリコリドの比率を有するポリ（ラクチド−コ−グリコリド）である、請求項１３記載の使用。
【請求項１６】
持続放出性組成物が注射によって投与される、請求項１３または１４記載の使用。
【請求項１７】
2型糖尿病を患う患者を処置するための医薬の製造における、50：50のDL PLG 4Aポリマー、5% w/wのエキセンディン-4および2% w/wのスクロースを含む持続放出性組成物の使用であって、ここでCaveに対するCmaxの比率が約３以下であり、組成物の全細孔容積が約0.1mL/g以下である、使用。
【請求項１８】
真性糖尿病を患う患者を処置するための医薬の製造における、組成物の重量の約5% w/w以上のエキセンディン-4および約2% w/w以上のスクロースを内部に分散された、精製された50：50のDL PLG 4Aポリマーを含む生物学的活性ポリペプチドの持続放出のための組成物の使用であって、ここで前記組成物は硫酸アンモニウムが非存在で、約３以下のCaveに対するCmaxの比率を有し、組成物の全細孔容積が約0.1mL/g以下である、使用。
【手続補正書】
【提出日】平成20年4月11日(2008.4.11)
【手続補正１】
【補正対象書類名】特許請求の範囲
【補正対象項目名】全文
【補正方法】変更
【補正の内容】
【特許請求の範囲】
【請求項１】
アルツハイマー病に罹った疑いのあるもしくは罹った哺乳類を処置するために有用である薬剤を調製するための、以下の構造式Iの化合物の使用方法であって、
前記薬剤が、前記哺乳類に投与されるように構成されており、また、
前記薬剤が、構造式Iのキヌクリジン化合物ならびに薬学的に許容されるそれらの塩の有効量を含み、また、
【化１】
2007532649.tif 000001
ここで、式中の
ａ）  R1、R2、およびR3が、独立に、H、OH基、ハロ基、(C1-C6)アルキル基、(C1-C6)アルコキシ基、(C3-C6)シクロアルキル基、(C3-C6)シクロアルキル((C1-C6)アルキル)基、(C2-C6)アルケニル基、(C2-C6)アルキニル基、(C1-C6)アルカノイル基、ハロ(C1-C6)アルキル基、ヒドロキシ(C1-C6)アルキル基、(C1-C6)アルコキシカルボニル基、(C1-C6)アルキルチオ基、チオ(C1-C6)アルキル基、(C1-C6)アルカノイルオキシ基、またはN(R6)(R7)であって、さらにここで、R6およびR7は、独立に、H、O、(C1-C6)アルキル基、(C3-C6)シクロアルキル基、(C3-C6)シクロアルキル(C1-C6)アルキル基、フェニル基、もしくはベンジル基であるか、あるいは、R6とR7とが、それらが結合しているNと共になって、任意に1〜2個のS、N(R6)、もしくは過酸化物ではないOを含むような五員環または六員環を形成するものであるか、；あるいは、R1とR2とが共にメチレンジオキシ基となっており、
ｂ）  YとZとが共になって、=O、-O(CH2)mO-、もしくは-(CH2)m-を形成する（ここでmは2〜4の数である）か、あるいは、YがHであってZがOR9もしくはSR9（ここでR9は、Hもしくは(C1-C4)アルキル基である）であり、
ｃ）  Xが、(C1-C6)アルキル基、(C1-C6)アルコキシ基、ヒドロキシル(C1-C6)アルキル基、(C3-C12)アルケニル基、(C2-C6)アルキニル基、カルボキシ基、(C1-C6)アルコキシカルボニル基、チオ(C1-C6)アルキル基、(C3-C12)ヘテロシクロアルキル基、(C3-C12)ヘテロシクロアルキル(C1-C6)アルキル基、アリール基、もしくはヘテロアリール基であって、任意に、1個、2個、もしくは3個のR1で置換されているというものである、
ということを特徴とする、方法。
【請求項２】
薬学的に許容される担体と組み合わせた構造式(I)の化合物を含むことを特徴とする、組成物。
【請求項３】
グルタマート神経系もしくは経路の伝達亢進を含んだ神経障害を処置するための薬剤を調製するための、構造式(I)の化合物の使用方法であって、前記薬剤が、前記神経障害の徴候の観られるもしくは前記神経障害を患う哺乳類に投与されるように構成されており、また、前記薬剤が、構造式(I)の前記化合物の有効量を含むことを特徴とする、治療方法。
【請求項４】
ADの少なくともひとつの症状を処置する医薬を調製するための、構造式(I)の化合物の使用方法。
【手続補正書】
【提出日】平成20年4月7日(2008.4.7)
【手続補正１】
【補正対象書類名】特許請求の範囲
【補正対象項目名】全文
【補正方法】変更
【補正の内容】
【特許請求の範囲】
【請求項１】
ａ）腫瘍を有する患者を同定し、及びｂ）有効量のデスルファトヒルディン又はデスルファトヒルディン変異体を含む薬剤製剤を患者に投与することを含み、これにより患者の腫瘍の血管形成を阻害する、患者における血管形成を阻害する方法。
【請求項２】
前記デスルファトヒルディンの変異体が、ＨＶ１、ＨＶ１修飾の（ａ，ｂ）、ＨＶ２、ＨＶ２修飾の（ａ，ｂ，ｃ）、ＨＶ３、ＨＶ３の修飾型、又はｄｅｓ（Ｖａｌ２）−デスルファトヒルディンである、請求項１に記載の方法。
【請求項３】
前記デスルファトヒルディンが、ＳＥＱ  ＩＤ  ＮＯ．１であり、２７、３６、及び４７のＸａａは、それぞれ、Ｌｙｓであり、５１のＸａａはＨｉｓであり、６２のＸａａはＳＥＱ  ＩＤ  ＮＯ．２である、請求項１に記載の方法。
【請求項４】
デスルファトヒルディン又はデスルファトヒルディン変異体を、代謝拮抗薬、微小管阻害剤、アルキル化剤、プラチナ剤、アントラサイクリン、トポイソメラーゼ阻害薬及び抗生物質からなる群から選択される細胞毒性物質と同時投与する、請求項２に記載の方法。
【請求項５】
薬剤製剤がリン酸カリウムをさらに含む、請求項１に記載の方法。
【請求項６】
ａ）腫瘍を有する患者を同定し、及びｂ）有効量のデスルファトヒルディン又はデスルファトヒルディン変異体を含む薬剤製剤を患者に投与することを含み、これにより患者の腫瘍の血管形成を阻害する、有効量のデスルファトヒルディン又はデスルファトヒルディン誘導体を含む薬剤製剤を投与することを含む、患者における検出可能な癌を処置する方法。
【請求項７】
前記デスルファトヒルディンが、ＳＥＱ  ＩＤ  ＮＯ．１であり、２７、３６、及び４７のＸａａは、それぞれ、Ｌｙｓであり、５１のＸａａはＨｉｓであり、６２のＸａａはＳＥＱ  ＩＤ  ＮＯ．２である、請求項６に記載の方法。
【請求項８】
デスルファトヒルディン又はデスルファトヒルディン誘導体と、
細胞毒性物質と、
薬学的に許容できる担体と
を含む、患者における癌を処置するための薬剤製剤。
【請求項９】
前記デスルファトヒルディンが、 
2007532646.tif 000001
を含む、請求項１〜６のいずれか一項に記載の方法。
【手続補正書】
【提出日】平成20年4月11日(2008.4.11)
【手続補正１】
【補正対象書類名】特許請求の範囲
【補正対象項目名】全文
【補正方法】変更
【補正の内容】
【特許請求の範囲】
【請求項１】
血管新生と関連する病理学的状態を有する被験体において血管新生を低減または抑制するための組成物であって、ＥＧＦＬ７誘導性内皮細胞遊走を妨害する能力を有するＥＧＦＬ７アンタゴニストを含む、組成物。
【請求項２】
前記ＥＧＦＬ７アンタゴニストが抗ＥＧＦＬ７抗体である、請求項１に記載の組成物。
【請求項３】
前記病理学的状態が新生物である、請求項１に記載の組成物。
【請求項４】
前記新生物が癌腫である、請求項３に記載の組成物。
【請求項５】
前記病理学的状態が目と関連する、請求項１に記載の組成物。
【請求項６】
前記病理学的状態が眼内新生血管形成疾患である、請求項５に記載の組成物。
【請求項７】
抗血管新生剤ともに投与されることを特徴とする、請求項１に記載の組成物。
【請求項８】
前記抗血管新生剤を前記組成物の投与の前または後に投与することを特徴とする、請求項７に記載の組成物。
【請求項９】
前記抗血管新生剤を前記組成物と同時に投与することを特徴とする、請求項７に記載の組成物。
【請求項１０】
前記抗血管新生剤が血管内皮細胞成長因子（ＶＥＧＦ）のアンタゴニストである、請求項７に記載の組成物。
【請求項１１】
前記ＶＥＧＦアンタゴニストが抗ＶＥＧＦ抗体である、請求項１０に記載の組成物。
【請求項１２】
前記抗ＶＥＧＦ抗体がベバシズマブである、請求項１１に記載の組成物。
【請求項１３】
前記ＥＧＦＬ７アンタゴニストがＥＧＦＬ７誘導性内皮細胞遊走を妨害する能力を、インビトロ細胞遊走アッセイにおいて検出する、請求項１に記載の組成物。
【請求項１４】
血管新生と関連する病理学的状態を有する被験体において抗血管新生剤の有効性を増強するための組成物であって、ＥＧＦＬ７アンタゴニストを含み、ここで該組成物は、血管新生を阻害する能力を有する抗血管新生剤との組み合わせで投与されることを特徴とする、組成物。
【請求項１５】
前記ＥＧＦＬ７アンタゴニストが抗ＥＧＦＬ７抗体である、請求項１４に記載の組成物。
【請求項１６】
前記病理学的状態が新生物である、請求項１４に記載の組成物。
【請求項１７】
前記新生物が癌腫である、請求項１６に記載の組成物。
【請求項１８】
前記病理学的状態が目と関連する、請求項１４に記載の組成物。
【請求項１９】
前記病理学的状態が眼内新生血管形成疾患である、請求項１８に記載の組成物。
【請求項２０】
前記組成物は、化学療法剤とともに投与されることを特徴とする、請求項１７に記載の組成物。
【手続補正書】
【提出日】平成20年4月8日(2008.4.8)
【手続補正１】
【補正対象書類名】特許請求の範囲
【補正対象項目名】全文
【補正方法】変更
【補正の内容】
【特許請求の範囲】
【請求項１】
3.0％(w/v)のカルボキシメチルセルロースナトリウム、0.9％(w/v)の塩化ナトリウム、および0.1％(v/v)のポリソルベート20, NF (Tween 20)を水中に含む注射用ビヒクル中に懸濁された、50:50 DL PLG 4A ポリマー、約3〜5％(w/w)のエキセンディン-4、および約2％(w/w)のスクロースを含み、CmaxのCaveに対する比が約3以下であり、組成物の全細孔容積が約0.1 mL/g以下である持続放出性組成物を含む、25ゲージニードル内の通過に適した注射用組成物。
【請求項２】
50:50 DL PLG 4A ポリマーが精製されている、請求項１記載の注射用組成物。
【請求項３】
50:50 DL PLG 4A ポリマー、約3〜5％(w/w)のエキセンディン-4、および約2％(w/w)のスクロースを含み、CmaxのCaveに対する比が約3以下であり、組成物の全細孔容積が約0.1 mL/g以下である乾燥持続放出性組成物の治療有効用量を含むバイアル、ならびに3.0％(w/v)のカルボキシメチルセルロースナトリウム、0.9％(w/v)の塩化ナトリウム、および0.1％(v/v)のポリソルベート20, NF (Tween 20)を水中に含む注射用ビヒクルを含み、持続放出性組成物を少なくとも30 mg/mlに懸濁するのに充分な注射用ビヒクルが存在するバイアルを含む、25ゲージニードル内の通過に適した注射用組成物を作製するためのキット。
【請求項４】
50:50 DL PLG 4A ポリマーが精製されている、請求項３記載のキット。
【手続補正書】
【提出日】平成20年3月28日(2008.3.28)
【手続補正１】
【補正対象書類名】特許請求の範囲
【補正対象項目名】全文
【補正方法】変更
【補正の内容】
【特許請求の範囲】
【請求項１】
ａ．  一定量のアセチルコリンエステラーゼ阻害物質又はその薬学的に許容される塩；
ｂ．  一定量のスタチン又はその薬学的に許容される塩；及び
ｃ．  薬学的に許容される担体又は希釈剤、
を含む医薬組成物。
【請求項２】
活性５ｍｇのスタチンと活性１０ｍｇのアセチルコリンエステラーゼ阻害物質；
活性１０ｍｇのスタチンと活性１０ｍｇのアセチルコリンエステラーゼ阻害物質；
活性２０ｍｇのスタチンと活性１０ｍｇのアセチルコリンエステラーゼ阻害物質；
活性４０ｍｇのアトルバスタチンカルシウムと活性１０ｍｇのアセチルコリンエステラーゼ阻害物質；
活性８０ｍｇのスタチンと活性１０ｍｇのアセチルコリンエステラーゼ阻害物質；
活性５ｍｇのスタチンと活性５ｍｇのアセチルコリンエステラーゼ阻害物質；
活性１０ｍｇのスタチンと活性５ｍｇのアセチルコリンエステラーゼ阻害物質；
活性２０ｍｇのスタチンと活性５ｍｇのアセチルコリンエステラーゼ阻害物質；
活性４０ｍｇのスタチンと活性５ｍｇのアセチルコリンエステラーゼ阻害物質；及び
活性８０ｍｇのスタチンと活性５ｍｇのアセチルコリンエステラーゼ阻害物質、
から成る群から選択された固定した組合せを含む、請求項１に記載の医薬組成物。
【請求項３】
一定量のアトルバスタチン又はその薬学的に許容される塩を含む、請求項１又は２に記載の医薬組成物。
【請求項４】
一定量のドネペジル又はその薬学的に許容される塩を含む、請求項３に記載の医薬組成物。
【請求項５】
約０．２０ｍｇ〜約２０ｍｇのドネペジル又はその薬学的に許容される塩；約５ｍｇ〜約８０ｍｇのアトルバスタチン又はその薬学的に許容される塩及び薬学的に許容される担体又は希釈剤を含む医薬組成物。
【請求項６】
アルツハイマー病を患う哺乳動物においてアルツハイマー病修飾効果を達成するために第２の医薬組成物と共に使用するための第１の医薬組成物において、該アルツハイマー病修飾効果は、前記第１及び第２の医薬組成物を別々に投与することによって達成される効果の合計よりも大きく、前記第１の医薬組成物が一定量のアトルバスタチン又はその薬学的に許容される塩及び薬学的に許容される担体又は希釈剤を含み、前記第２の医薬組成物が一定量のドネペジル又は薬学的に許容される担体又は希釈剤を含む、第１の医薬組成物。
【請求項７】
アルツハイマー病を治療するための医薬の製造を目的とする、それぞれ請求項１〜６のいずれか１項に記載の医薬組成物の使用。
【請求項８】
安定化を必要とする哺乳動物においてアルツハイマー病の症候を安定化させるための医薬の製造を目的とする、それぞれ請求項１〜６のいずれか１項に記載の医薬組成物の使用。
【請求項９】
前記安定化がアルツハイマー病評価等級−認知サブ等級（ＡＤＡＳ−Ｃｏｇ）によってか又はアルツハイマー病協調試験−臨床世界変化印象等級（ＡＤＣＳ−ＣＧＩＣ）によって評価される、請求項８に記載の使用。
【請求項１０】
アルツハイマー病を治療するための、請求項１〜５のいずれか１項に記載の医薬組成物。
【手続補正書】
【提出日】平成20年4月10日(2008.4.10)
【手続補正１】
【補正対象書類名】特許請求の範囲
【補正対象項目名】全文
【補正方法】変更
【補正の内容】
【特許請求の範囲】
【請求項１】
アルドステロン阻害剤およびアデノシンA1受容体アンタゴニスト（AA1RA）を含む医薬組成物であって、AA1RAが、式Iのキサンチン誘導体化合物またはその医薬的に許容できる塩である医薬組成物：
【化１】
2007532671.tif 000001
［式中、
X1およびX2はそれぞれ独立して酸素または硫黄を表し；
Qは
【化２】
2007532671.tif 000002
（式中、Yは単結合または1〜4個の炭素原子を持つアルキレンを表し、nは0または1を表す）
を表し；
R1およびR2はそれぞれ独立して水素、低級アルキル、アリル、プロパルギル、またはヒドロキシ置換、オキソ置換もしくは無置換低級アルキルを表し、R3は水素または低級アルキルを表すか、
R4およびR5は同じであるか相異なって、それぞれ水素またはヒドロキシを表し、R4およびR5がどちらも水素である場合、R1およびR2の少なくとも一方はヒドロキシ置換またはオキソ置換低級アルキルである；
ただし、Qが
【化３】
2007532671.tif 000003
である場合、R1、R2およびR3は同時にはメチルでないものとする］。
【請求項２】
前記アルドステロン阻害剤が、スピロノラクトンおよびエプレレノンからなる群から選択されるか、または医薬的に許容できるその塩、プロドラッグ、エステル、もしくはアミドである、請求項1記載の組成物。
【請求項３】
前記R1およびR2がどちらも低級アルキルであり、R3が水素であり、X1およびX2がどちらも酸素である請求項１記載の組成物。
【請求項４】
前記R1、R2およびR3が独立して水素または低級アルキルである、請求項１記載の組成物。
【請求項５】
前記R1およびR2がそれぞれ独立してアリルまたはプロパルギルであり、R3が水素または低級アルキルである請求項１記載の組成物。
【請求項６】
前記R1がヒドロキシ置換、オキソ置換または無置換プロピルであり、R2がヒドロキシ置換または無置換プロピルであり、Yが単結合である請求項１記載の組成物。
【請求項７】
R1がプロピル、2-ヒドロキシプロピル、2-オキソプロピルまたは3-オキソプロピルであり、R2がプロピル、2-ヒドロキシプロピルまたは3-ヒドロキシプロピルである請求項１記載の組成物。
【請求項８】
前記X1およびX2がどちらも酸素であり、nが0である請求項５記載の組成物。
【請求項９】
前記Qが
【化４】
2007532671.tif 000004
である請求項４記載の組成物。
【請求項１０】
前記Qが
【化５】
2007532671.tif 000005
である請求項４記載の組成物。
【請求項１１】
Qが、9-ヒドロキシ、9-オキソまたは6-ヒドロキシ置換3 トリシクロ［3.3.1.03,7］ノニル、または3-ヒドロキシ-1 トリシクロ［3.3.1.13,7］デシルである請求項４記載の組成物。
【請求項１２】
AA1RAが、8-（ノルアダマンタン-3-イル）-1,3-ジプロピルキサンチン、1,3-ジアリル-8-（3-ノルアダマンチル）キサンチン、3-アリル-8-（3-ノルアダマンチル）-1-プロパルギルキサンチン、8-（trans-9-ヒドロキシ-3-トリシクロ［3.3.1.03,7］ノニル）-1,3-ジプロピルキサンチン、8-（cis-9-ヒドロキシ-3-トリシクロ［3.3.1.03,7］ノニル）-1,3-ジプロピルキサンチン、8-（trans-9-ヒドロキシ-3-トリシクロ［3.3.1.03,7］ノニル）-1-（2-オキソプロピル）-3-プロピルキサンチンおよび1-（2-ヒドロキシプロピル）-8-（trans-9-ヒドロキシ-3-トリシクロ［3.3.1.03,7］ノニル）-3-プロピルキサンチンからなる群より選択されるか、または医薬的に許容されるそれらの塩である、請求項１記載の組成物。
【請求項１３】
請求項１から１２までのいずれかに記載の組成物を含む、心血管疾患治療用薬剤。
【請求項１４】
前記心血管疾患が、うっ血性心不全、高血圧、無症候性左心室機能障害、または冠動脈疾患である請求項１３記載の心血管疾患治療用薬剤。
【請求項１５】
請求項１から１２までのいずれかに記載の組成物を含み、後負荷軽減を必要とする患者に投与する為のものである心血管疾患治療用薬剤。
【請求項１６】
請求項１から１２までのいずれかに記載の組成物を含み、追加の利尿薬療法を必要とするか、利尿薬療法では効果のない患者に投与する為のものである心血管疾患治療用薬剤。
【請求項１７】
アルドステロン阻害剤とAA1RAを含有する薬剤との心血管疾患治療用の組み合わせ。
【請求項１８】
前記アルドステロン阻害剤と前記AA1RAを含有する薬剤とがほぼ同時に投与されるものである、請求項１７記載の組み合わせ。
【請求項１９】
前記AA1RAを含有する薬剤かアルドステロン阻害剤のいずれか一方が最初に投与され、次にAA1RAを含有する薬剤かアルドステロン阻害剤の他方が投与されるものである、請求項１７記載の組み合わせ。
【請求項２０】
前記心血管疾患が、うっ血性心不全、高血圧、無症候性左心室機能障害、または冠動脈疾患である請求項１７記載の組み合わせ。
【請求項２１】
AA1RAを含有する薬剤かアルドステロン阻害剤の組み合わせであって、後負荷軽減を必要とする患者に投与する為のものである心血管疾患治療用の組み合わせ。
【請求項２２】
AA1RAを含有する薬剤かアルドステロン阻害剤の組み合わせであって、追加の利尿薬療法を必要とするか、利尿薬療法では効果のない患者に投与する為のものである心血管疾患治療用の組み合わせ。
【手続補正書】
【提出日】平成20年1月23日(2008.1.23)
【手続補正１】
【補正対象書類名】特許請求の範囲
【補正対象項目名】全文
【補正方法】変更
【補正の内容】
【特許請求の範囲】
【請求項１】
リパーゼの存在下、４２−ヒドロキシラパマイシンをアシル供与体でアシル化することを含む、式（Ｉ）：
【化１】
2007532134.tif 000001
（式中、Ｒは、ヒドロキシル、ハロゲンおよび／またはチオを場合によっては含有する、線状または環状、脂肪族または芳香族、飽和または不飽和炭化水素である）のラパマイシン４２−エステル誘導体の位置特異的調製方法。
【請求項２】
使用されるリパーゼが、微生物、例えば、アスペルギルス・ニガー（Aspergillus niger）、カンジダ・アンタルクチカ（Candida antarctica）、カンジダ・ルゴサ（Candida rugosa）、ムコール・ミーヘイ（Mucor miehei）、シュードモナス・セパシア（Pseudomonas cepacia）、シュードモナス・フルオレッセンス（Pseudomonas fluorescens）、リゾープス・デレマ（Rhizopus delemar）からの細菌リパーゼである、請求項１に記載の方法。
【請求項３】
使用されるリパーゼが、Ｂ型カンジダ・アンタルクチカ（Candida antarctica type B）からのもの（ＮＯＶＯＺＹＭＥ  ４３５リパーゼ）またはシュードモナス・セパシア（Pseudomonas cepacia）からのもの（リパーゼＰＳ−Ｃ「Ａａｍａｎｏ」ＩＩ）である、請求項２に記載の方法。
【請求項４】
前記アシル供与体が、ビニルエステル、イソプロペニルエステルまたは無水物である、請求項１から３のいずれか一項に記載の方法。
【請求項５】
前記ビニルエステルが、式ＣＨ2＝ＣＨ−Ｏ−ＣＯＲ1（式中、Ｒ1は、ヒドロキシル、ハロゲンおよびＳＨから独立して選択される基で場合によっては置換されている、Ｃ1〜Ｃ6アルキル、Ｃ2〜Ｃ6アルケニル、Ｃ6〜Ｃ14アリール、ベンジルから成る群より選択される）を有する、請求項４に記載の方法。
【請求項６】
前記ビニルエステルが、ビニルアセテート、ビニルプロピオネート、ビニルクロロアセテート、ビニルクロトネート、ビニルベンゾエートおよびビニルデカノエートから成る群より選択される、請求項５に記載の方法。
【請求項７】
前記ビニルエステルが、イソプロピリデン保護ビニル３−ヒドロキシ−２−（ヒドロキシメチル）−２−メチルプロピオネートである、請求項４に記載の方法。
【請求項８】
前記イソプロペニルエステルが、式ＣＨ2＝Ｃ（ＣＨ3）−ＯＣＯＲ2（式中、Ｒ2は、ヒドロキシル、ハロゲンおよびＳＨから独立して選択される基で場合によっては置換されている、Ｃ1〜Ｃ6アルキル、Ｃ2〜Ｃ6アルケニル、Ｃ6〜Ｃ14アリール、ベンジルから成る群より選択される）を有する、請求項４に記載の方法。
【請求項９】
前記イソプロペニルエステルが、イソプロペニルアセテートである、請求項８に記載の方法。
【請求項１０】
前記無水物が、ハロゲンおよびヒドロキシルから独立して選択される基で場合によっては置換されている、Ｃ1〜Ｃ8直鎖または分枝鎖アルカン酸無水物である、請求項４に記載の方法。
【請求項１１】
前記反応が、トルエン、ｔ−ブチルメチルエーテル（ＴＢＭＥ）、エチルエーテル、ＴＨＦ、ＭｅＣＮ、ＣＨ2Ｃｌ2、ＣＨＣｌ3、ヘキサン、ジオキサンまたはこれらの混合物から成る群より選択される有機溶媒中で行われる、請求項１から１０のいずれか一項に記載の方法。
【請求項１２】
前記反応が、２０℃から７５℃の範囲内で行われる、請求項１から１１のいずれか一項に記載の方法。
【請求項１３】
ＣＣＩ−７７９の前駆体である、イソプロピリデンケタール保護３−ヒドロキシ−２−（ヒドロキシメチル）−２−メチルプロピオン酸とのラパマイシン４２−エステルの位置特異的製剤。
【請求項１４】
請求項１から１２のいずれか一項に記載の方法に従って製造された位置特異的ラパマイシン４２−誘導体を含む組成物もしくは請求項１３に記載の位置特異的ラパマイシン４２−誘導体製剤を含む組成物、または生理適合性担体をさらに含む該組成物、および該組成物のための容器を含む製品。
【請求項１５】
請求項１から１２のいずれか一項に従って製造された位置特異的ラパマイシン４２−誘導体の複数の単位を単位剤形で含む薬学的キット。
【手続補正書】
【提出日】平成20年4月14日(2008.4.14)
【手続補正１】
【補正対象書類名】特許請求の範囲
【補正対象項目名】全文
【補正方法】変更
【補正の内容】
【特許請求の範囲】
【請求項１】
天然ヒトFcγRIIAと結合するよりも高い親和性で天然ヒトFcγRIIBの細胞外ドメインと特異的に結合する、単離された抗体またはそのフラグメント。
【請求項２】
前記抗体が2B6抗体である、請求項１に記載の抗体。
【請求項３】
前記2B6抗体がヒト化されている、請求項２に記載の抗体。
【請求項４】
前記抗体がヒト抗体または１本鎖抗体である、請求項１に記載の抗体。
【請求項５】
ヒト化2B6が、配列番号24のアミノ酸配列を有する重鎖可変ドメイン、および配列番号18、配列番号20、または配列番号22のアミノ酸配列を有する軽鎖可変ドメインを含んでなる、請求項３に記載の抗体。
【請求項６】
重鎖のFcドメインに少なくとも1つの改変をさらに含んでなる、請求項１または５に記載の抗体
【請求項７】
前記抗体の重鎖のFcドメインが、240、243、247、255、270、292、300、316、370、392、396、416、419、または421位に少なくとも1つのアミノ酸置換を含んでなる、請求項６に記載の抗体。
【請求項８】
前記抗体の重鎖のFcドメインが；
(A) 247位にロイシン、421位にリシン、および270位にグルタミン酸を有するか；
(B) 392位にトレオニン、396位にロイシン、および270位にグルタミン酸を有するか；または
(C) 255位にリシン、396位にロイシン、および270位にグルタミン酸を有する；
請求項６に記載の抗体。
【請求項９】
前記抗体が異種ポリペプチドと機能的に連結されている、請求項１に記載の抗体。
【請求項１０】
前記抗体が治療薬または細胞毒素にコンジュゲートされている、請求項１に記載の抗体。
【請求項１１】
Ig-FcとFcγRIIBとの結合をブロックする、請求項１に記載の抗体。
【請求項１２】
前記抗体がリツキシン（Rituxin）より効果的に腫瘍増殖を低下させる、請求項１に記載の抗体。
【請求項１３】
請求項１に記載の抗体またはそのフラグメントの重鎖または軽鎖をコードするヌクレオチド配列を含んでなる単離された核酸。
【請求項１４】
異種プロモーターと機能的に連結された第１の核酸および同じまたは異なる異種プロモーターと機能的に連結された第２の核酸を含有する宿主細胞であって、前記第１の核酸および第２の核酸がそれぞれ請求項１に記載の抗体の重鎖および軽鎖をコードするものである、上記宿主細胞。
【請求項１５】
FcγRIIAと結合するよりも高い親和性でFcγRIIBと特異的に結合する第１の重鎖-軽鎖対、および腫瘍抗原と特異的に結合する第２の重鎖-軽鎖対を含んでなる二重特異性抗体。
【請求項１６】
患者の癌を治療する際に、FcγRIIAと結合するよりも高い親和性でFcγRIIBと特異的に結合する抗体またはそのフラグメントを含んでなる、組成物の使用。
【請求項１７】
前記抗体がモノクローナル抗体である、請求項１６に記載の使用。
【請求項１８】
前記抗体が2B6抗体である、請求項１６に記載の使用。
【請求項１９】
前記抗体がヒト化されている、請求項１６に記載の使用。
【請求項２０】
前記2B6抗体がヒト化されている、請求項１８に記載の使用。
【請求項２１】
ヒト化2B6が、配列番号24のアミノ酸配列を有する重鎖可変ドメイン、および配列番号18、配列番号20、または配列番号22のアミノ酸配列を有する軽鎖可変ドメインを含んでなる、請求項２０に記載の使用。
【請求項２２】
2B6抗体の重鎖のFcドメインが、240、243、247、255、270、292、300、316、370、392、396、416、419、または421位に少なくとも1つのアミノ酸置換を含んでなる、請求項１８または２１に記載の使用。
【請求項２３】
2B6抗体の重鎖のFcドメインが；
(A) 247位にロイシン、421位にリシン、および270位にグルタミン酸を有するか；
(B) 392位にトレオニン、396位にロイシン、および270位にグルタミン酸を有するか；または
(C) 255位にリシン、396位にロイシン、および270位にグルタミン酸を有する；
請求項２２に記載の方法。
【請求項２４】
前記癌が乳癌、卵巣癌、前立腺癌、子宮頚癌または膵臓癌である、請求項１６に記載の使用。
【請求項２５】
被験者のＢ細胞性悪性腫瘍またはその１以上の症状を治療または改善するための上記の治療または改善に有効な量のFcγRIIB特異的抗体を含んでなる組成物の使用。
【請求項２６】
FcγRIIB特異的抗体がFcγRIIAと結合するよりも高い親和性でFcγRIIBと結合する、請求項２５に記載の使用。
【請求項２７】
FcγRIIB特異的抗体が2B6または3H7である、請求項２５に記載の使用。
【請求項２８】
2B6または3H7がヒト化されている、請求項２７に記載の使用。
【請求項２９】
Ｂ細胞性悪性腫瘍がＢ細胞リンパ性白血病または非ホジキンリンパ腫である、請求項２５に記載の使用。
【請求項３０】
FcγRIIB特異的抗体が治療薬または薬物にコンジュゲートされている、請求項２５に記載の使用。
【請求項３１】
治療薬がFcγRIIB以外の細胞表面受容体と免疫特異的に結合する抗体であるか、または腫瘍関連抗原と免疫特異的に結合する抗体である請求項３０に記載の使用。
【請求項３２】
(i) 治療上有効な量の、FcγRIIAと結合するよりも高い親和性でFcγRIIBと特異的に結合する抗体またはそのフラグメント、および(ii) 製薬上許容される担体、を含んでなる医薬組成物。
【請求項３３】
前記抗体がモノクローナル抗体またはヒト化された抗体である、請求項３２に記載の医薬組成物。
【請求項３４】
前記抗体が2B6抗体である、請求項３２に記載の医薬組成物。
【請求項３５】
前記2B6抗体がヒト化されている、請求項３４に記載の医薬組成物。
【請求項３６】
ヒト化2B6が、配列番号24のアミノ酸配列を有する重鎖可変ドメイン、および配列番号18、配列番号20、または配列番号22のアミノ酸配列を有する軽鎖可変ドメインを含んでなる、請求項３５に記載の医薬組成物。
【請求項３７】
2B6抗体の重鎖のFcドメインが、240、243、247、255、270、292、300、316、370、392、396、416、419、または421位に少なくとも１つのアミノ酸置換を含んでなる、請求項３２または３６に記載の医薬組成物。
【請求項３８】
2B6の重鎖のFcドメインが；
(A) 247位にロイシン、421位にリシン、および270位にグルタミン酸を有するか；
(B) 392位にトレオニン、396位にロイシン、および270位にグルタミン酸を有するか；または
(C) 255位にリシン、396位にロイシン、および270位にグルタミン酸を有する；
請求項３７に記載の医薬組成物。
【請求項３９】
Ｂ細胞性悪性腫瘍の予防、治療、管理、または改善に有効な量の１種以上のFcγRIIB特異的抗体、および製薬上許容される担体を含んでなる医薬組成物。
【手続補正書】
【提出日】平成20年4月4日(2008.4.4)
【手続補正１】
【補正対象書類名】特許請求の範囲
【補正対象項目名】全文
【補正方法】変更
【補正の内容】
【特許請求の範囲】
【請求項１】
（ａ）哺乳動物細胞種の生細胞の抗癌作用因子に対する応答と相関する発現パターンを有する遺伝子を同定する工程；
（ｂ）生細胞中に干渉ＲＮＡ分子を導入することによって、哺乳動物細胞種の生細胞中の遺伝子を機能的に不活化する工程（前記遺伝子のコピーは、前記哺乳動物細胞種の全ての生細胞中に存在する）；
（ｃ）前記干渉ＲＮＡ分子を含む前記生細胞を、前記抗癌作用因子と接触させる工程；及び
（ｄ）前記抗癌作用因子に対する干渉ＲＮＡ分子を含む前記生細胞の応答が、前記干渉ＲＮＡ分子を含まない同じ細胞種の生細胞の前記抗癌作用因子に対する応答と異なっているかどうかを測定する工程（応答の差異は、前記遺伝子が前記哺乳動物細胞種の生細胞の前記抗癌作用因子に対する応答を媒介していることを示す）；
を含む、遺伝子が、生細胞の抗癌作用因子に対する応答を媒介しているかどうかを決定する方法。
【請求項２】
前記生細胞がヒト細胞である、請求項１に記載の方法。
【請求項３】
前記抗癌作用因子が化学作用因子である、請求項１に記載の方法。
【請求項４】
前記抗癌作用因子がエネルギー作用因子である、請求項１に記載の方法。
【請求項５】
前記抗癌作用因子がウイルスである、請求項１に記載の方法。
【請求項６】
前記干渉ＲＮＡ分子がｓｉＲＮＡ分子から本質的になる、請求項１に記載の方法。
【請求項７】
前記干渉ＲＮＡ分子がｓｈＲＮＡ分子から本質的になる、請求項１に記載の方法。
【請求項８】
前記干渉ＲＮＡ分子が長い二本鎖ＲＮＡ分子から本質的になる、請求項１に記載の方法。
【請求項９】
前記遺伝子が配列番号２に記載されている核酸配列と少なくとも９０％同一であるＳＴＫ６遺伝子である、請求項１に記載の方法。
【請求項１０】
前記遺伝子が配列番号３に記載されている核酸配列と少なくとも９０％同一であるＴＰＸ２遺伝子である、請求項１に記載の方法。
【請求項１１】
前記相関が正の相関である、請求項１に記載の方法。
【請求項１２】
前記相関が負の相関である、請求項１に記載の方法。
【請求項１３】
前記干渉ＲＮＡ分子を含む前記生細胞を、前記遺伝子の機能的不活化の間に、及び前記生細胞が前記作用因子と接触している間に、インビトロで培養する、請求項１に記載の方法。
【請求項１４】
前記抗癌作用因子がＫＳＰタンパク質の阻害剤である、請求項１に記載の方法。
【請求項１５】
前記遺伝子発現パターンを核酸マイクロアレイを用いることによって測定する、請求項１に記載の方法。
【請求項１６】
生細胞が前記作用因子と接触させる前に前記遺伝子から転写されたｍＲＮＡの量を、前記生細胞を前記作用因子と接触させた後に前記遺伝子から転写されたｍＲＮＡの量と比較することによって、前記遺伝子発現パターンを測定する、請求項１に記載の方法。
【請求項１７】
哺乳動物対象の癌細胞から得た２０番染色体を分析して２０番染色体の部分２０ｑが癌細胞中で増幅されているかどうかを決定する工程を含み、２０番染色体の部分２０ｑが前記癌細胞中で増幅されていなければ、前記哺乳動物対象はＫＳＰ阻害剤に対して応答性であると同定される、ＫＳＰ阻害剤に対して応答性の哺乳動物対象を同定する方法。
【請求項１８】
（ａ）細胞中に干渉ＲＮＡ分子を導入することによって、哺乳動物の癌細胞種の生細胞中の遺伝子を機能的に不活化する工程（前記遺伝子は、抗癌作用因子と接触した哺乳動物癌細胞種の生存と相関する発現パターンを有し、前記遺伝子のコピーは、前記哺乳動物癌細胞種の全ての生細胞中に存在する）；及び
（ｂ）抗癌作用物質と接触した干渉ＲＮＡ分子を含む哺乳動物癌細胞の生存を、干渉ＲＮＡ分子を含まない同じ細胞種の哺乳動物癌細胞の生存と比較することによって、抗癌作用物質と接触した哺乳動物癌細胞の生存に遺伝子が寄与することを確認する工程（前記干渉ＲＮＡ分子を含む前記細胞の生存の低下は、抗癌作用物質に対する哺乳動物癌細胞の耐性に前記遺伝子が寄与することを確認する）；
を含む、哺乳動物癌細胞の、抗癌作用因子に対する耐性に前記遺伝子が寄与していることを確認する方法。
【請求項１９】
前記哺乳動物癌細胞が大腸癌細胞である、請求項１８に記載の方法。
【請求項２０】
前記哺乳動物癌細胞が乳癌細胞である、請求項１８に記載の方法。
【請求項２１】
前記哺乳動物癌細胞が卵巣癌細胞である、請求項１８に記載の方法。
【請求項２２】
前記抗癌作用物質が化学作用物質である、請求項１８に記載の方法。
【請求項２３】
前記抗癌作用物質が干渉ＲＮＡ分子である、請求項１８に記載の方法。
【請求項２４】
前記哺乳動物細胞が癌細胞である、請求項１に記載の方法。
【請求項２５】
前記哺乳動物細胞が大腸癌細胞である、請求項１に記載の方法。
【請求項２６】
前記哺乳動物細胞が乳癌細胞である、請求項１に記載の方法。
【請求項２７】
前記哺乳動物細胞が卵巣癌細胞である、請求項１に記載の方法。
【請求項２８】
前記抗癌作用物質が干渉ＲＮＡ分子である、請求項１に記載の方法。